(57)【要約】【課題】誤って不良と判断される可能性をより低減することが可能な携帯無線端末を提供する。【解決手段】アプリケーション記憶部１４０は、ＳＩＭ／ＵＩＭカード挿入部１００に装着されたＳＩＭ／ＵＩＭカード１７０内の加入者識別情報を使用するアプリケーションを記憶し、試験記憶部１５０は、ＳＩＭ／ＵＩＭカード１７０を使用した情報処理の処理手順を記憶する。制御部１６０は、処理手順に従ってアプリケーションに情報処理を実行させ、その情報処理の成否に応じて、アプリケーションの利用の可否を判断する。表示部１３０は、制御部１６０の判断結果を表示する。【選択図】図１
2012120103.tif 000002
【特許請求の範囲】
【請求項１】
無線通信サービスの加入者を特定するための加入者識別情報を記録する記録媒体が着脱可能な着脱部と、
前記着脱部に装着された記録媒体内の加入者識別情報を使用するアプリケーションと、前記記録媒体を使用した情報処理の処理手順とを記憶する記憶部と、
前記処理手順に従って前記アプリケーションに前記情報処理を実行させ、当該情報処理の成否に応じて、前記アプリケーションの利用の可否を判断する制御部と、
前記制御部の判断結果を表示する表示部と、を有する携帯無線端末。
【請求項２】
前記記憶部は、複数の前記処理手順を記憶可能であり、
前記制御部は、前記記憶部に前記処理手順が複数記憶されている場合、各処理手順に従って前記アプリケーションに複数の前記情報処理を実行させ、各情報処理の成否に応じて、前記アプリケーションの利用の可否を判断する、請求項１に記載の携帯無線端末。
【請求項３】
前記制御部は、各情報処理の全てが成功した場合、前記アプリケーションを利用可能と判断し、各情報処理の少なくとも一つが失敗した場合、前記アプリケーションを利用可能でないと判断する、請求項２に記載の携帯無線端末。
【請求項４】
前記制御部は、前記判断結果を前記記憶部に記憶させ、その後、前記アプリケーションの起動が要求された場合、前記記憶部内の判断結果において前記アプリケーションが利用可能でないと、前記アプリケーションが利用でない旨を前記表示部に表示する、請求項１ないし３のいずれか１項に記載の携帯無線端末。
【請求項５】
無線通信サービスの加入者を特定するための加入者識別情報を記録する記録媒体が着脱可能な着脱部と、前記着脱部に装着された記録媒体内の加入者識別情報を使用するアプリケーションと前記記録媒体を使用した情報処理の処理手順とを記憶する記憶部とを有する携帯無線端末の故障通知方法であって、
前記処理手順に従って前記アプリケーションに前記情報処理を実行させ、
前記情報処理の成否に応じて、前記アプリケーションの利用の可否を判断し、
前記アプリケーションの利用の可否の判断結果を表示する、故障通知方法。
【発明の詳細な説明】
【技術分野】
【０００１】
本発明は、無線通信サービスの加入者を特定するための加入者識別情報を記録する記録媒体が着脱可能な携帯無線端末に関する。
【背景技術】
【０００２】
現在、携帯無線端末において無線通信サービスを利用するためには、電話番号などのユーザ情報を管理するための記録媒体が携帯無線端末に装着される必要がある。記録媒体には、無線通信サービスの加入者を特定するため加入者識別情報が記録されており、携帯無線端末内の無線通信機能を有するアプリケーションが、その加入者識別情報を使用して無線通信サービスを利用している。上記の記録媒体としては、ＳＩＭ（Subscriber Identity Module Card）カードやＵＩＭ（User Identity Module Card）カードが使用されることが多い。以下、上記の記録媒体をＳＩＭ／ＵＩＭカードと称する。
【０００３】
また、携帯無線端末は、現在、特定のＳＩＭ／ＵＩＭカードのみを利用可能にするＳＩＭロックまたはＵＩＭロックと呼ばれるロック機能を備えているが、今後、ロック機能の解除ができるようになる可能性がある。ロック機能が解除された場合、ＳＩＭ／ＵＩＭカードを差し替えて携帯無線端末を利用するユーザが多くなると予想される。
【０００４】
ＳＩＭ／ＵＩＭカードの差し替えにおいて、携帯無線端末に新たに装着されたＳＩＭ／ＵＩＭカードが故障していると、加入者識別情報を使用するアプリケーションまたはそのアプリケーションの一部の機能が利用できなくなることがある。この場合、ユーザがアプリケーションの起動を要求したときに、そのアプリケーションが利用できない旨が表示されたり、アプリケーションの実行中に突然アプリケーションが終了されたりする。その際、ユーザは、ＳＩＭ／ＵＩＭカードではなく携帯無線端末の方を誤って不良と判断してしまい、携帯無線端末のメーカーに対する不信感を与えてしまう可能性がある。
【０００５】
これに対して、情報処理装置に接続された周辺装置の使用可否の確認を、情報処理装置の電源投入時に自動的に行う試験方法が特許文献１に記載されている。
【０００６】
特許文献１に記載の試験方法では、周辺装置の使用可否の確認を行う試験用のプログラムが予め用意され、情報処理装置は、電源投入時に試験用プログラムに従って周辺装置の使用可否の確認し、その確認結果を表示する。
【０００７】
特許文献１に記載の試験方法において、情報処理装置を携帯無線端末に適用し、周辺装置をＳＩＭ／ＵＩＭカードに適用すれば、ユーザは予めＳＩＭ／ＵＩＭカードの故障を把握することが可能になるので、ユーザに携帯無線端末を誤って不良と判断される可能性を低減できる。
【先行技術文献】
【特許文献】
【０００８】
【特許文献１】特開平６−３３２７４４号公報
【発明の概要】
【発明が解決しようとする課題】
【０００９】
特許文献１に記載の試験方法では、実運用時にＳＩＭ／ＵＩＭカードを利用するアプリケーションとは別の試験用のプログラムを用いて、ＳＩＭ／ＵＩＭカードの使用可否が確認される。このため、試験用のプログラムにてＳＩＭ／ＵＩＭカードの使用が可能と判断されても、アプリケーションがＳＩＭ／ＵＩＭカードを正常に利用できるとは限らない。このため、携帯無線端末に問題がなくても、携帯無線端末が誤って不良と判断される可能性を十分に低減することができない。
【００１０】
本発明の目的は、誤って不良と判断される可能性をより低減することが可能な携帯無線端末およびその故障通知方法を提供することである。
【課題を解決するための手段】
【００１１】
本発明による携帯無線端末は、無線通信サービスの加入者を特定するための加入者識別情報を記録する記録媒体が着脱可能な着脱部と、前記着脱部に装着された記録媒体内の加入者識別情報を使用するアプリケーションと、前記記録媒体を使用した情報処理の処理手順とを記憶する記憶部と、前記処理手順に従って前記アプリケーションに前記情報処理を実行させ、当該情報処理の成否に応じて、前記アプリケーションの利用の可否を判断する制御部と、前記制御部の判断結果を表示する表示部と、を有する。
【００１２】
また、本発明による故障通知方法は、無線通信サービスの加入者を特定するための加入者識別情報を記録する記録媒体が着脱可能な着脱部と、前記着脱部に装着された記録媒体内の加入者識別情報を使用するアプリケーションと前記記録媒体を使用した情報処理の処理手順とを記憶する記憶部とを有する携帯無線端末の故障通知方法であって、前記処理手順に従って前記アプリケーションに前記情報処理を実行させ、前記情報処理の成否に応じて、前記アプリケーションの利用の可否を判断し、前記アプリケーションの利用の可否の判断結果を表示する。
【発明の効果】
【００１３】
本発明によれば、誤って不良と判断される可能性をより低減することが可能になる。
【図面の簡単な説明】
【００１４】
【図１】本発明の第１の実施形態の携帯電話端末の構成を示すブロック図である。
【図２】アプリケーションが利用可能か否かを検証する事前試験に関する試験表の一例を示す図である。
【図３】本発明の第１の実施形態の携帯電話端末の動作の一例を説明するためのフローチャートである。
【図４】本発明の他の実施形態の携帯電話端末の動作の一例を説明するためのフローチャートである。
【発明を実施するための形態】
【００１５】
以下、本発明の実施形態について図面を参照して説明する。なお、以下の説明では、同じ機能を有するものには同じ符号を付け、その説明を省略する場合がある。
【００１６】
図１は、本発明の第１の実施形態の携帯電話端末の構成を示すブロック図である。図１において、携帯電話端末は、ＳＩＭ／ＵＩＭカード挿入部１１０と、操作部１２０と、表示部１３０と、アプリケーション記憶部１４０と、試験記憶部１５０と、制御部１６０とを有する。
【００１７】
ＳＩＭ／ＵＩＭカード挿入部１１０は、携帯電話端末が使用する無線通信サービスの加入者を特定するための加入者識別情報を記録するＳＩＭ／ＵＩＭカード１７０が着脱可能な着脱部である。ＳＩＭ／ＵＩＭカード１７０は、ＳＩＭカードまたはＵＩＭカードである。また、加入者識別情報は、例えば、ＩＭＳＩ（International Mobile Subscriber Identity）または電話番号などである。
【００１８】
操作部１２０は、数字キーや十字キーなどの釦を有するキー入力装置、または、タッチパネルなどであり、ユーザにて操作される。
【００１９】
表示部１３０は、種々の情報を表示する。
【００２０】
アプリケーション記憶部１４０および試験記憶部１５０を合わせて、単に記憶部と呼ばれることもある。
【００２１】
アプリケーション記憶部１４０は、種々のアプリケーションを記憶する。アプリケーション記憶部１４０に記憶されているアプリケーションには、少なくともＳＩＭ／ＵＩＭカード挿入部１１０に装着されたＳＩＭ／ＵＩＭカード１７０内の加入者識別情報を使用するアプリケーションが含まれる。本実施形態では、アプリケーション記憶部１４０は、加入者識別情報を使用するアプリケーションとして、音声通信を行うための音声通信アプリケーション１４１、電子メールの送受信を行うためのメーラー１４２、および、ＷＥＢページなどの種々の情報を表示するためのブラウザ１４３を記憶しているものとする。なお、図１では、音声通信アプリケーション１４１は、音声通信１４１と略されている。
【００２２】
試験記憶部１５０は、アプリケーション記憶部１４０に記憶されたアプリケーションの利用の可否を判断する事前試験に関する試験表１５１を記憶する。
【００２３】
図２は、試験表１５１の一例を示す図である。図２において、試験表１５１は、アプリケーション名２１０と、試験項目２１１と、試験結果２１２と、アプリケーション利用可否データ２１３とを含む。なお、図２では、アプリケーション利用可否データ２１３を利用可否と略している。
【００２４】
アプリケーション名２１０は、アプリケーション記憶部１４０に記憶されたアプリケーションを特定するための識別情報である。
【００２５】
試験項目２１１は、アプリケーション名２１０にて特定されるアプリケーションの事前試験の具体的な内容を示し、より具体的には、アプリケーション名２１０に実行させる情報処理の処理手順を示す。また、試験項目２１１は、複数の項目に別れ、各項目が別々の処理手順を示してもよい。
【００２６】
ここで、情報処理は、ＳＩＭ／ＵＩＭカード１７０を利用した処理であれば、加入者識別情報を使用した処理でなくてもよい。情報処理の処理手順は、アプリケーションがメーラー１４２の場合、例えば、ＳＭＳ（Short Message Service：ショートメッセージサービス）用の情報であるＳＭＳデータを作成し、そのＳＭＳデータをＳＩＭ／ＵＩＭカード１７０に保存し、さらにＳＩＭ／ＵＩＭカード１７０からＳＭＳデータを読み出すといった一連の動作を表す。また、情報処理の処理手順は、アプリケーションが音声通信アプリケーション１４１やブラウザの場合、例えば、ＳＩＭ／ＵＩＭカード１７０から加入者識別情報を読み取り、その読み取った加入者識別情報を用いて所定のサーバなどの外部装置（図示せず）にアクセスといった一連の動作を表してもよい。
【００２７】
試験結果２１２は、試験項目２１１が示す処理手順に従って実行された情報処理の成否を示す。図２において、“可”は情報処理の成功を示し、“否”は情報処理の失敗を示す。
【００２８】
アプリケーション利用可否データ２１３は、アプリケーション名２１０にて特定されるアプリケーションの利用の可否を示すものであり、その可否は、後述するように試験結果２１２に応じて決定される。図２において、“可”はアプリケーションが利用可能であることを示し、“否”はアプリケーションが利用可能でないことを示す。
【００２９】
なお、試験結果２１２およびアプリケーション利用可否データ２１３は、後述するように事前試験中または終了後に試験表１５１に追加される情報である。
【００３０】
図１の説明に戻る。制御部１６０は、例えば、コンピュータで構成され、携帯電話端末の各部を制御する。
【００３１】
例えば、制御部１６０は、携帯電話端末が起動されると、ＳＩＭ／ＵＩＭカード１７０がＳＩＭ／ＵＩＭカード挿入部１１０に挿入されているか否かを検知する。
【００３２】
ＳＩＭ／ＵＩＭカード１７０が挿入されている場合、制御部１６０は、試験記憶部１５０に記憶されている試験表１５１内のアプリケーション名２１０にて特定されるアプリケーションごとに、そのアプリケーションの利用の可否を判断する事前試験を行う。
【００３３】
事前試験では、先ず、制御部１６０は、アプリケーションの起動し、試験項目２１１が示す情報処理をその起動したアプリケーションに実行させ、その情報処理の成否を判定する。このとき、制御部１６０は、処理手順が複数あるアプリケーションに対しては、各処理手順に従って、情報処理のそれぞれを実行させ、各情報処理の成否を個別に判定する。
【００３４】
続いて、制御部１６０は、情報処理の成否を示す試験結果２１２を生成して試験表１５１に追加し、その試験結果２１２に応じて、アプリケーションの利用の可否を判断する。例えば、制御部１６０は、試験結果２１２の全てが可を示すと、アプリケーションを利用可能と判断し、試験結果２１２の少なくとも一つが不可を示すと、アプリケーションを利用可能でないと判断する。
【００３５】
そして、制御部１６０は、アプリケーションの利用の可否を示すアプリケーション利用可否データ２１３を生成して試験表１５１に追加するとともに、アプリケーション利用可否データ２１３を表示部１３０に表示する。
【００３６】
次に本実施形態の携帯電話端末の動作について説明する。
【００３７】
図３は、本実施形態の携帯電話端末の動作を説明するためのフローチャートである。なお、携帯電話端末は電源がＯＦＦになっており、また、ＳＩＭ／ＵＩＭカード挿入部１１０には、ＳＩＭ／ＵＩＭカード１７０が挿入されているものとする。
【００３８】
先ず、携帯電話端末のユーザが、操作部１２０に対して携帯電話端末を起動するための起動操作を行う（ステップＳ１１）。例えば、操作部１２０には、携帯電話端末を起動するための起動釦が備わっており、ユーザはその起動釦の押下操作を起動操作として行う。
【００３９】
制御部１６０は、その起動操作を検知すると、携帯電話端末を起動するとともに、ＳＩＭ／ＵＩＭカード挿入部１１０にＳＩＭ／ＵＩＭカード１７０が挿入されていることを検知し、その後、ＳＩＭ／ＵＩＭカード１７０から加入者識別情報を読み取る（ステップＳ１２）。
【００４０】
制御部１６０は、読み取った加入者識別情報に基づいて、携帯電話端末の電源がＯＦＦになっている間に、ＳＩＭ／ＵＩＭカード１７０が差し替えられたか否かを判断する（ステップＳ１３）。
【００４１】
より具体的には、制御部１６０は、携帯電話端末が最初に起動されたときに読み取った加入者識別情報をアプリケーション記憶部１４０または試験記憶部１５０に記憶しておく。その後、制御部１６０は、ステップＳ１２で読み取った加入者識別情報と、記憶されている加入者識別情報とを比較する。制御部１６０は、各加入者識別情報が互いに異なっていると、ＳＩＭ／ＵＩＭカード１７０が差し替えられたと判断し、記憶されている加入者識別情報を、読み取った加入者識別情報に更新する。また、制御部１６０は、各加入者識別情報が互いに同一であると、ＳＩＭ／ＵＩＭカード１７０が差し替えられていないと判断する。
【００４２】
ＳＩＭ／ＵＩＭカード１７０が差し替えられていない場合、制御部１６０は、予め設定されている待受画面を表示部１３０に表示して（ステップＳ１４）、処理を終了する。
【００４３】
一方、ＳＩＭ／ＵＩＭカード１７０が差し替えられている場合、制御部１６０は、試験記憶部１５０から試験表１５１を読み取り、その読み取った試験表１５１内のアプリケーション名２１０ごとに、アプリケーション名２１０にて特定されるアプリケーションをアプリケーション記憶部１４０から読み出し、その読み出したアプリケーションを実行する。そして、制御部１６０は、アプリケーション名２１０に対応する試験項目２１１が示す処理手順に従って情報処理をアプリケーションに実行させ、その情報処理の成否を試験結果２１２として試験表１５１に記憶する（ステップＳ１５）。
【００４４】
制御部１６０は、試験表１５１内のアプリケーション名２１０ごとに、そのアプリケーション名２１０の試験結果２１２に応じて、アプリケーションが利用可能か否かを判断し、その判断結果をアプリケーション利用可否データ２１３として試験表１５１に追加する（ステップＳ１６）。
【００４５】
アプリケーションの全てが利用可能である場合、制御部１６０は、予め設定されている待受画面を表示部１３０に表示して（ステップＳ１４）、処理を終了する。
【００４６】
一方、アプリケーションの少なくとも一つが利用可能でない場合、制御部１６０は、利用可能でないアプリケーションに対応するアプリケーション名２１０およびアプリケーション利用可否データ２１３を表示部１３０に表示し（ステップＳ１７）、処理を終了する。このとき、制御部１６０は、ＳＩＭ／ＵＩＭカード１７０の故障によりアプリケーションが利用できない旨をさらに表示してもよい。
【００４７】
なお、携帯電話端末が最初に起動されたときにも上記の同様な動作が行われてもよい。
【００４８】
以上説明したように本実施形態では、アプリケーション記憶部１４０は、ＳＩＭ／ＵＩＭカード挿入部１１０に装着されたＳＩＭ／ＵＩＭカード１７０内の加入者識別情報を使用するアプリケーションを記憶し、試験記憶部１５０は、ＳＩＭ／ＵＩＭカード１７０を使用した情報処理の処理手順を記憶する。制御部１６０は、処理手順に従ってアプリケーションに情報処理を実行させ、その情報処理の成否に応じて、アプリケーションの利用の可否を判断する。表示部１３０は、制御部１６０の判断結果を表示する。
【００４９】
このため、アプリケーションに情報処理を実行させ、その情報処理の成否に応じてアプリケーションの利用の可否が判断されている。したがって、アプリケーションがＳＩＭ／ＵＩＭカード１７０を正常に利用できるか否かをより正確に判断することが可能になり、誤って携帯電話端末が不良と判断される可能性をより低減することが可能になる。また、ＳＩＭ／ＵＩＭカード１７０の初期不良を検知できる。
【００５０】
また、本実施形態では、一つのアプリケーションに対して処理手順が異なる複数の情報処理を実行させることが可能になるので、アプリケーションがＳＩＭ／ＵＩＭカード１７０を正常に利用できるか否かをより正確に判断することが可能になる。
【００５１】
次に本発明の他の実施形態について説明する。
【００５２】
本実施形態の携帯電話端末の構成は図１に示した構成と同じであるが、以下の処理が行われることで、アプリケーションの利用制限についてさらに工夫している。
【００５３】
図４は、本実施形態の携帯電話端末の動作の一例を説明するためのフローチャートである。なお、試験記憶部１５０の試験表１５１には、アプリケーション利用可否データ２１３が既に格納されているものとする。
【００５４】
先ず、アプリケーションの起動が制御部１６０に要求される（ステップＳ２１）。例えば、ユーザが操作部１２０に対してアプリケーションを起動するための起動操作を行うと、制御部１６０は、起動操作を検知して、アプリケーションの起動が要求されたと判断する。
【００５５】
制御部１６０は、アプリケーションの起動が要求されると、そのアプリケーションのアプリケーション名２１０に対応するアプリケーション利用可否データ２１３を、試験記憶部１５０の試験表１５１から読み出し、そのアプリケーション利用可否データ２１３からアプリケーションが利用可能か否かを判断する（ステップＳ２２）。
【００５６】
アプリケーションが利用可能の場合、制御部１６０は、アプリケーション記憶部１４０から、起動が要求されたアプリケーションを読み取り、その読み取ったアプリケーションを起動する（ステップＳ２３）。
【００５７】
一方、アプリケーションが利用可能でない場合、制御部１６０は、そのアプリケーションが利用できない旨を表示部１３０に表示する（ステップＳ２４）。その後、制御部１６０は、そのアプリケーションの起動を中止する（ステップＳ２５）。
【００５８】
以上説明したように本実施形態によれば、制御部１６０は、アプリケーションの起動が要求された場合、記憶部内の判断結果においてアプリケーションが利用可能でないと、アプリケーションが利用でない旨を表示部１３０に表示する。
【００５９】
このため、電源投入時にアプリケーションが利用できないことが通知されていたのに関わらず、そのアプリケーションをユーザが誤って起動してしまうことを防止することが可能になる。
【００６０】
以上説明した各実施形態において、図示した構成は単なる一例であって、本発明はその構成に限定されるものではない。
【００６１】
例えば、アプリケーションは、音声通信アプリケーション１４１、メーラー１４２およびブラウザ１４３に限らず、携帯電話端末にセットアップされたアプリケーションの全てについて事前検証が行われてもよい。
【００６２】
また、各実施形態では、携帯無線端末として携帯電話端末を用いていたが、携帯無線端末はＳＩＭ／ＵＩＭカード１７０を使用して無線通信サービスを利用するものであれば携帯電話端末に限らず適宜変更可能である。
【００６３】
また、各実施形態では、加入者識別情報を記録する記録媒体として、ＳＩＭカードまたはＵＩＭカードを用いていたが、本記録媒体は、ＳＩＭカードまたはＵＩＭカードに限らず適宜変更可能である。
【符号の説明】
【００６４】
１１０    ＳＩＭ／ＵＩＭカード挿入部
１２０    操作部
１３０    表示部
１４０    アプリケーション記憶部
１４１    音声通信アプリケーション
１４２    メーラー
１４３    ブラウザ
１５０    試験記憶部
１５１    試験表
１６０    制御部
１７０    ＳＩＭ／ＵＩＭカード
【図１】
2012120103.tif 000003
【図２】
2012120103.tif 000004
【図３】
2012120103.tif 000005
【図４】
2012120103.tif 000006